(57)【要約】【課題】足湯は周囲の床に座って足を温め方法で使用する。背もたれ付きの椅子を提供している場合もある。従来の足湯の周囲の床や背もたれ付きの椅子は一般的に加温されておらず、座る際に使用する背もたれ付きの椅子も加温されていないので、寒い時期には腰を温めたいという潜在的なニーズがあった。【解決手段】本発明は足湯の湯の中に入れる部分を吸熱部とし、椅子の座る部分で放熱するヒートパイプまたは良熱伝導の金属板または良熱伝導のプラスチックによる構成により、座る部分を温かくするものである。【選択図】    図１
2007000600.tif 000002
【特許請求の範囲】
【請求項１】
ヒートパイプの下部の一端を足湯の湯の中に入れて吸熱し、上部を座る椅子の部分に取り付けて放熱する足湯用の椅子
【請求項２】
熱良導な金属板または熱良導なるプラスチックの下部の一端を足湯の湯の中に入れて吸熱し、上部を座る椅子の部分に取り付けて放熱する足湯用の椅子
【請求項３】
足湯の周囲の座る部分、即ち椅子部と、これに連絡した側部または底部にまで熱良導な金属板または熱良導なるプラスチックで連続して、足湯の熱を吸熱し、座る部分即ち椅子部に放熱する足湯
【請求項４】
足湯の周囲の座る部分、即ち椅子部と、これに連絡した側部または底部にまで銅板または銀入り銅板で連絡し、足湯の熱を座る部分、即ち椅子部に放熱し、足湯の湯を銅イオンまたは銀イオンも含めてた働きにより、湯をまろやかにし、抗菌効果を発揮させる足湯
【請求項５】
熱良導なアルミ、銅などの金属板を用い、プレス加工した板と、これに接合する基板をブレージング加工などによって合体し、ヒートパイプの作動液の流路を形成した板状ヒートパイプを使用して、下部を足湯の吸熱部とし、上部を人が座る部分の放熱部として構成した足湯用椅子
【発明の詳細な説明】
【発明の詳細な説明】
【技術分野】
【０００１】この発明は、足湯用の椅子または椅子部に関するものである。
【背景技術】
【０００２】近年、温泉地などにおいて屋外で足湯が使われている。足湯の周囲の床を椅子部にして、座って足を湯に入れる方法で使用されている。足湯の周囲に座る際に使用する背もたれ付きの椅子が提供されている場合もある。
【発明の開示】
【発明が解決しようとする課題】
【０００３】前記の足湯の周囲の床は一般的に加温されておらず、座る際に使用する背もたれ付きの椅子も加温されていないので、寒い時期には腰を温めたいという潜在的なニーズがあった。
【課題を解決するための手段】
【０００４】本発明はこの問題点を解決するため、足湯の湯の中にヒートパイプまたは良伝導の金属板または良熱伝導のプラスチックを入れて吸熱し、座る椅子の部分で放熱する。
【発明の効果】
【０００５】  請求項１の構成によると、ヒートパイプの伝熱効果により、瞬時に足湯の湯の熱を座る椅子の部分に伝熱する事が出来、ポカポカと気持ち良く腰が温まる。足湯は健康に良いとされているが、腰を温めることにより、更にその効果を高めることが出来る。請求項２の構成は良熱伝導の金属板または良熱伝導のプラスチックによるもので、伝熱速度、伝熱性能はヒートパイプには及ばないが長時間の設置を続ける場合は実用できる。請求項３の構成は足湯の周囲の座る部分に足湯の熱を良熱伝導の金属板または良熱伝導のプラスチックまたはヒートパイプを追加して伝熱するもので、足湯の周囲全体に伝熱することが出来る。請求項４の構成は銅イオンまたは銀イオンの働きにより、湯の肌触りをまろやかにし、更に抗菌効果により、足湯の壁面のぬめりの発生を抑制でき、水虫菌やレジオネラ菌の増殖を抑制できる。銅イオンはカビや細菌の増殖を抑制する。銅線を編みこんだ靴下が水虫菌対策として提供されている。銅板の上に置いた細菌Ｏ−１５７が死滅した実験結果も日本銅センターより報告されている。銅板の表面は常時細菌の発生を抑制する銅イオンの働きが発揮されている清潔な表面であり、不特定多数の観光客が座る椅子部に適している。銀イオンは病原菌やレジオネラ菌の増殖を抑制する効果は銅より優れた効果を発揮する。銀イオンを利用した下着や靴下、消臭剤も提供されてる。銅イオンと銀イオンとの複合的な効果も期待出来る。更に請求項４の構成において、銅板など金属板を使用する場合、温泉地などに由来する動植物やブランドマークをプレスで構成し、足湯の高級感を演出することができる。銅板は表面の強制酸化などの表面処理により、落ち着いた風合いのある色とし、温泉地の景観の向上に役立てることが出来る。なお銅の表面に発生する緑青は昔、毒物であるとの誤解があったが、１９８４年８月７日厚生省は緑青は毒物ではないことを発表した。これは銅管を瞬間湯沸し器、風呂釜その他の配管や器具に使用しても問題ないことを証明したものであった。請求項５の構成は熱良導なアルミ、銅などの金属板を用い、プレス加工により、多数の独立した円形の凹部を構成した熱良導な金属板と、これに接合する熱良導な金属の基板を円形の凹部と周囲をブレージング加工などによって合体し、円形の凹部によって仕切られたヒートパイプの作動液の流路を形成した板状ヒートパイプを使用して、下部を足湯の吸熱部とし、上部を人が座る部分の放熱部として構成するものであり、一体成型された構造のため伝熱性能に優れている。古河電気工業（株）製の板状ヒートパイプを足湯でテストしたところ全く問題点はなかった。
【発明を達成するための最良の形態】
【０００６】  本発明の一実施例について、図によって説明する。図１は本発明の一実施例を足湯１０に入れた構成を示すものである。椅子１はヒートパイプ１−１と熱伝導板１−２とクッション部１−３、断熱部１−４、断熱部１−５によって構成する。熱伝導板１−２は銅板、アルミ板などの熱良導な金属板または最近熱伝達性能向上の著しい熱良導なプラスチックが望ましい。ヒートパイプ１−１は外形９．５ミリ程度のサイズの水重力式ヒートパイプが望ましい。ヒートパイプ１−１の下部は足湯３の湯の中に入れて吸熱し、上部の椅子の部分で放熱する。クッション部１−３はクッション材を銅線で縫って熱伝導性能を高めることが望ましい。断熱部１−４はヒートパイプ１−１の熱を保温する十分な断熱性能が必要である。断熱部１−５は湯面との境界部分の断熱を行うので防水性が必要である。温泉の湯を使用した足湯の場合、強酸性の湯などの場合、金属腐蝕が発生する。この対策として金属部品の表面を樹脂コーテイングをすることが必要となる。図２は本発明のヒートパイプ１−１に熱伝導板１−２を取り付ける構成を示すものであり。熱伝導板１−２が銅、アルミなどの金属板の場合を示すものである。ヒートパイプ１−１に密接して嵌合する金属パイプを熱伝導板１−２に取り付ける。ヒートパイプ１−１は嵌合部１−２−１の内部に良熱伝導潤滑材を塗ってこれに嵌合する。図３はヒートパイプの代替として熱伝導板２−１を使用した簡易な椅子２を示すものである。熱伝導板２−１は銅やアルミ等の熱良導材料または良熱伝導のプラスチックを使用する。この熱伝導板２−１について、強酸性の温泉など金属腐蝕が発生する場合は、樹脂コーテイングが必要となる。クッション材２−２は不織布を銅線で縫って熱伝導性能を高めることが望ましい。断熱材２−３は熱伝導板２−１を保温する十分な断熱性能が必要である。２−４は足湯の湯面との境界部分の断熱を行うので防水性が必要である。図４は箱型の椅子３の一実施例を示すものである。銅、アルミなどの熱良導な金属板または熱良導なプラスチックにより、椅子上面３−１、椅子側面３−２、椅子底面３−３を構成し、高さ調節部３−４を取り付ける。箱の内部は湯が入る穴を底面に設ける。箱の内部の上部を密閉して構成し、湯を内部の天井まで全部入れて椅子上面３−１の下面に湯を直接触れるようにすることが出来る。箱の上部に穴を設けて空気を抜き、湯面は上げない方法も出来る。図５は足湯１０の周囲の座る部分の椅子部４を熱伝導部材で構成する一実施例を示すものである。熱良導な銅、アルミなどの金属材料または熱良導なプラスチック材料により、椅子部上面４−１、椅子部側面４−２、椅子部底面４−３を連絡して構成し、足湯の熱を椅子上面４−１に熱伝導する。椅子部４−１、椅子部側面４−２、椅子部底面４−３の裏側にヒートパイプを取り付けて、熱伝導を促進することも出来る。椅子部上面４−１、椅子部側面４−２、椅子部底面４−３の裏側を断熱材で断熱する事により、熱損失が防ぐことが出来る。椅子４の材料は足湯の湯を滑らかな肌触りにする目的とレジオネラなどの抗菌作用の面から銅を使用することが望ましい。更に銅に微量の銀を含有させた銀入り銅（銀含有率約０．０８％）を使用して抗菌効���を高めることが望ましい。図１、図３、図４、図５の熱伝達材料として良熱伝導なプラスチックを使用した構成について述べているが、この材料について述べる。構成熱良導なプラスチックは平成１６年１２月１７日に東レ（株）が発表した熱可塑性プラスチックが望ましい。東レ（株）の良熱伝導の熱可塑性プラスチックは熱可塑性プラスチックとフイラー（混合、充填する無機粒子）間の分子相互作用を高め、フイラー間の高効率接触を実現することにより、熱の通り道「導道パス」を形成させ、熱伝導率を大幅に向上（２５／ｍＫ以上）に成功した有機、無機ハイブリッドの材料である。東レ（株）の良熱良伝導プラスチックと銅、アルミなどの他の素材との熱伝導、比重の比較表を次に示す。
2007000600.tif 000003
上記表の通り、東レ（株）の良熱伝導可塑性プラスチックは鉄（鋼）に比べても軽い伝熱材料で多くの熱を伝達出来ることが分かる。更にこの東レ（株）の新素材は可塑性プラスチックであり、加工がし易くヒートパイプとの一体化の成型加工、椅子躯体の成型加工、箱型椅子の成型加工、足湯周囲の取り付け加工は金属板に比べて簡単で安価である。強酸性の温泉における金属腐蝕の問題がない。図６は板状のヒートパイプを使用する構成を示したものである。椅子５は板状ヒートパイプ５−１、躯体部５−２、クッション部５−３によって構成する。板状ヒートパイプ５−１は熱良導なアルミ、銅などの金属板を用い、プレス加工により、多数の独立した円形の凹部を構成した熱良導な金属板による凹部加工面５−１−１と、これに接合する熱良導な金属の基板５−１−２を合わせて、凹部加工面５−１−１の凹部の底面と周囲を基板５−１−２とをブレージング加工などによって合体し、円形の凹部によって仕切られたヒートパイプの作動液の流路を形成し、下部を足湯の吸熱部とし、上部を人が座る部分の放熱部として構成するものである。具体的な板状ヒートパイプの製品例としては古河電気工業（株）がアルミ製の板状ヒートパイプによるパワープレートと呼称される製品を車載用メタルコア基板Ｊ／Ｂ用などに提供し、更に銅製パワープレートも開発している。板状ヒートパイプ５−１は縦型の多数の中空部を有する構造などでも曲げ加工が可能な構造であれば使用出来る。この板状ヒートパイプ５−１を構造的に補強する躯体部５−２を取り付ける。躯体部５−２は板状ヒートパイプ５−１の足湯に浸かる下部の部分においては枠形状または格子形状に構成して板状ヒートパイプ５−１を補強し、足湯からの吸熱を妨げない構造とする。座る部分にクッション部５−３を取り付ける。クッション部５−３は銅線など熱良導材料で熱伝導を高めることが望ましい。強酸性の温泉などで金属腐蝕が発生する場合は板状ヒートパイプ５−１の表面に樹脂被覆等を施し、防錆対策を行う。
【図面の簡単な説明】
【０００７】
【図１】本発明の実施例の形態に従った一実施例の断面図である。
【図２】本発明の実施例の形態に従った一実施例のヒートパイプ１−１と熱伝導板１−２及び嵌合取付部１−２−１を示す斜視図である。
【図３】本発明の実施例の形態に従った一実施例の斜視図である。
【図４】本発明の実施例の形態に従った一実施例の斜視図である。
【図５】本発明の実施例の形態に従った一実施例の斜視図である。
【図６】本発明の実施例の形態に従った一実施例の斜視図である。
【符合の説明】
【０００８】      １：椅子
１−１：ヒートパイプ
１−２：熱伝導板
１−２−１：嵌合取付部
１−３：クッション部
１−４：断熱部
１−５：断熱部
１０：足湯
２：椅子
２−１：熱伝導板
２−２：クッション部
２−３：断熱部
２−４：断熱部
３：椅子
３−１：椅子上面
３−２：椅子側面
３−３：椅子底面
３−４：高さ調節部
４：椅子部
４−１：椅子部上面
４−２：椅子部側面
４−３：椅子部底面
５：椅子
５−１：板状ヒートパイプ
５−１−１：凹部加工面
５−１−２：基板
５−２：躯体部
５−３：クッション部
【図１】
2007000600.tif 000004
【図２】
2007000600.tif 000005
【図３】
2007000600.tif 000006
【図４】
2007000600.tif 000007
【図５】
2007000600.tif 000008
【図６】
2007000600.tif 000009